(57)【特許請求の範囲】
【請求項１】
テープ状記録媒体に対して、イーブンチャンネル及びオッドチャンネル毎に第１乃至第３の３種類の異なる周波数ｆ０，ｆ１，ｆ２のパイロット信号をｆ０，ｆ１，ｆ０，ｆ２の繰り返しとなるように発生する所定の磁気記録再生フォーマットのテープパターンを、パイロット信号の発生タイミングを変更して回転ドラム上に配された磁気ヘッドの１走査につき複数個記録する磁気記録再生装置であって、
上記磁気ヘッドの１走査に相当する期間内に、上記テープパターンの複数個に対応する信号処理の基準信号を発生する基準信号発生手段と、
上記磁気ヘッドの１走査に相当する期間内に、上記基準信号に基づいて上記テープパターンの複数個分の信号処理を行う信号処理手段とを有し、
上記テープパターンの複数個に対応する磁気ヘッドの１走査毎に、上記第１乃至第３のパイロット信号をｆ０，ｆ１，ｆ０，ｆ２の繰り返しとなるように周期的に繰り返して記録すると共に、
１トラックのテープパターンは、ヘッド操作方向の先頭から順に、アフターレコーディングのためのクロック精度の基準信号が配置されるＩＴＩ領域、オーディオ領域、ビデオ領域、サブコード領域からそれぞれ構成されるイーブンフィールドエリアとオッドフィールドエリアとが１本のトラック内に形成される
ことを特徴とする磁気記録再生装置。
【請求項２】
上記基準信号発生手段は、上記回転ドラムの回転に応じたパルス信号に基づいて上記基準信号を発生することを特徴とする請求項１記載の磁気記録再生装置。
【請求項３】
上記回転ドラム上には複数の磁気ヘッドが配され、
上記信号処理手段は、回転ドラム上の複数の磁気ヘッドの切り替えタイミングパルスと信号処理の切り替えタイミングパルスとの組み合わせパターンに応じて、上記複数の磁気ヘッドの各々に対応する信号処理を行うことを特徴とする請求項２記載の磁気記録再生装置。
【請求項４】
上記信号処理手段は、上記基準信号に基づいて上記テープパターンの複数個に対応する記録信号を生成し、上記テープ状記録媒体から再生された上記テープパターンの複数個に対応する再生信号を上記基準信号に基づいて処理することを特徴とする請求項１記載の磁気記録再生装置。
【発明の詳細な説明】
【０００１】
【発明の属する技術分野】
本発明は、所定の磁気記録再生フォーマットの信号を記録再生可能な磁気記録再生装置に関する。
【０００２】
【従来の技術】
例えば磁気テープに対してビデオ信号やオーディオ信号を記録するシステムの規格には各種のものが存在しており、また、近年は新たな技術開発が盛んに行われ、それに伴って新たな規格も種々登場してきている。
【０００３】
【発明が解決しようとする課題】
ところで、従来より、新規なフォーマットが開発されると、そのフォーマットにて採用された信号記録方法の新規性等によっては、システムの大部分あるいは、すべての回路、ＩＣ等を新たに設計開発することが必要となり、そのために長い開発期間と、多大な開発費用が必要になっている。例えば、ほぼ同一のテープカセット、メカニズムを用いるようなシステムであったとしても、全く新しい記録フォーマットを使用するような場合には、テープカセットを駆動する部分等のメカニズムの流用など以外の、例えばＲＦ信号処理系を含む殆ど全ての信号処理系が、全く新規な開発項目となり、その開発には多大な労力と膨大な費用がかかる。
【０００４】
なお、このような大掛かりな開発を避けるために、例えば、既存の信号処理方法（ＲＦ信号処理のフォーマット等）や、既存の別のテープカセット（機械的・構造的なフォーマット）などを組み合わせて、新規なフォーマットを開発することも可能であり、これによれば開発工数は激減することになるが、この場合の組み合わせは非常に限定されてしまい、したがって実際には実現されていないのが現実である。
【０００５】
そこで、本発明は上述の実情に鑑みて提案されるものであり、短時間且つ安価に、新規な規格に対応したシステムを実現可能とした、磁気記録再生装置を提案することを目的とする。
【０００６】
【課題を解決するための手段】
本発明に係る磁気記録再生装置は、テープ状記録媒体に対して、イーブンチャンネル及びオッドチャンネル毎に第１乃至第３の３種類の異なる周波数ｆ０，ｆ１，ｆ２のパイロット信号をｆ０，ｆ１，ｆ０，ｆ２の繰り返しとなるように発生する所定の磁気記録再生フォーマットのテープパターンを、パイロット信号の発生タイミングを変更して回転ドラム上に配された磁気ヘッドの１走査につき複数個記録するものであり、磁気ヘッドの１走査に相当する期間内に、上記テープパターンの複数個に対応する信号処理の基準信号を発生する基準信号発生手段と、上記磁気ヘッドの１走査に相当する期間内に、上記基準信号に基づいて上記テープパターンの複数個分の信号処理を行う信号処理手段とを有し、上記テープパターンの複数個に対応する磁気ヘッドの１走査毎に、上記第１乃至第３のパイロット信号をｆ０，ｆ１，ｆ０，ｆ２の繰り返しとなるように周期的に繰り返して記録すると共に、１トラックのテープパターンは、ヘッド操作方向の先頭から順に、アフターレコーディングのためのクロック精度の基準信号が配置されるＩＴＩ領域、オーディオ領域、ビデオ領域、サブコード領域からそれぞれ構成されるイーブンフィールドエリアとオッドフィールドエリアとが１本のトラック内に形成されることにより、上述の課題を解決する。
【０００７】
ここで、回転ドラム上には複数の磁気ヘッドが配され、信号処理手段は、回転ドラム上の複数の磁気ヘッドの切り替えタイミングパルスと信号処理の切り替えタイミングパルスとの組み合わせパターンに応じて、複数の磁気ヘッドの各々に対応する信号処理を行う。
【０００８】
【発明の実施の形態】
以下、本発明を適用した具体的な実施の形態について、図面を参照しながら詳細に説明する。
【０００９】
本発明が適用される一実施の形態の磁気記録再生装置として、例えばいわゆるディジタルビデオ（以下、単にＤＶと呼ぶ）カセットレコーダにて使用されているビデオテープ（以下、ＤＶテープと呼ぶ）よりも幅の広いテープを使用してＤＶフォーマットの信号を記録再生可能とした新規なシステムを例に挙げる。
【００１０】
本実施の形態では、上記ＤＶテープよりも幅の広いテープとして、いわゆる８ｍｍビデオテープを使用した例を挙げている。すなわち、本実施の形態の磁気記録再生装置は、この８ｍｍビデオテープにＤＶフォーマットの信号を記録可能であると共に、当該記録されたＤＶフォーマットの信号を再生可能となっており、さらに、８ｍｍビデオテープが収納された８ｍｍビデオカセットが装填され、当該カセット内部に収納された８ｍｍビデオテープを引き出して記録／再生を行うためのメカニズムをも有している。
【００１１】
ここで、本発明実施の形態の上記８ｍｍビデオテープに対してＤＶフォーマットの信号を記録／再生するための記録再生フォーマットについて説明する前に、本実施の形態の理解を容易にするために、一般的なＤＶテープに対応したＤＶフォーマットについて図１〜図６を用いて説明する。
【００１２】
一般的なＤＶフォーマットにおける１トラックのテープパターンは、図１に示すように、ヘッド走査方向の先頭から順にＩＴＩ（Insert and Track Information）領域、オーディオデータが配されるオーディオ領域、ビデオデータが配されるビデオ領域、サブコードが配されるサブコード領域から構成されている。なお、ＩＴＩ領域とは、オーディオデータ、ビデオデータ、サブコードを例えばアフターレコーディングするためのクロック精度の基準信号が配置されるトラック先頭の領域であり、アフターレコーディング時の記録位置精度を上げるために設けられるものである。
【００１３】
この図１に示したＤＶフォーマットのテープパターンをより詳細に示すと図２に示すように表すことができ、当該ＤＶフォーマットの主な仕様は以下に列記するようになされている。なお、図２の例では、主にＮＴＳＣ方式（以下５２５／６０システムとする）の各仕様を表記しており、ＰＡＬ方式（以下６２５／５０システムとする）の仕様のうちで５２５／６０システムと異なる仕様については（ ）内に表記している。
【００１４】
トラックピッチＴｐ(μm)                        10.00
テープスピードＴｓ(mm)                         18.831/1.001 (18.831)
トラック角θｒ(deg)                            9.1668
有効トラック長Ｌｒ(mm)                         32.890
テープ幅Ｗｔ(mm)                               6.350
有効エリア下エッジＨｅ(mm)                     0.560
有効エリア上エッジＨｏ(mm)                     5.800
有効エリア幅Ｗｅ(mm)                           5.240
オプショナルトラック１上エッジＨ１(mm)         0.490
オプショナルトラック２上エッジＨ２(mm)         50920
トラックＴＥのヘッドアジマス角α０(deg)        -20
トラックＴＯのヘッドアジマス角α１(deg)        +20
オーバーライトマージン長Ｅｍ(mm)               0.305
ＩＴＩ領域の記録ビット数(bits)                 3600
オーディオ領域の記録ビット数(bits)             11550
ビデオ領域の記録ビット数(bits)                 113225
サブコード領域の記録ビット数(bits)             3775(3600)
ギャップＧ１記録ビット数(bits)                 625
ギャップＧ２記録ビット数(bits)                 700
ギャップＧ３記録ビット数(bits)                 1550
有効エリア内のトラック／総合ビット数(bits)     134975(134850)
記録レート(Mbps)                               40.455
最短記録波長(μm)                              0.488/1.001(0.488)
【００１５】
また、一般的なＤＶカセットレコーダに適用される回転ドラムには、図３に示すように１８０度対向した１対の磁気ヘッド（イーブンチャンネルＥｃｈ用の磁気ヘッド４ｅとオッドチャンネルＯｃｈ用の磁気ヘッド４ｏ）が設けられている。この図３に示す回転ドラム３の主な仕様は、以下に列記するようになされている。なお、図３の例では、主に５２５／６０システムの各仕様を表記し、６２５／５０システムの仕様のうち５２５／６０システムと異なる仕様については（ ）内に表記している。
【００１６】
ドラム直径(mm)                    21.7
ドラムリード角(deg)               9.150
ドラム回転数(1/sec)               150/1.001(150)
トラック／ドラム回転（本）        2
有効ラップ角θｅ(deg)             174
【００１７】
上述したようなＤＶフォーマット及びＤＶカセットレコーダにおいて、テープを走行させると共に、回転ドラム３を上述のように１５０Ｈｚ（９０００ｒｐｍ）にて回転させることにより、上記１対の磁気ヘッド４ｅ，４ｏは、図２及び図４に示すように、上記テープ上のイーブンフィールド（Ｅ０，Ｅ２，Ｅ４，Ｅ６，Ｅ８，・・・）のトラックｔｒ０，ｔｒ２，ｔｒ４，ｔｒ６，ｔｒ８，・・・と、オッドフィールド（Ｏ１，Ｏ３，Ｏ５，Ｏ７，Ｏ９，・・・）のトラックｔｒ１，ｔｒ３，ｔｒ５，ｔｒ７，ｔｒ９，・・・を交互に走査することになる。なお、ＤＶフォーマットにおいて、例えば５２５／６０システムの場合は、図４に示すような１０トラックｔｒ０〜ｔｒ９分（１０走査分、すなわち回転ドラム３の５回転分）で１フレームが構成され、一方、図示は省略するが、６２５／５０システムでは１２トラック（１２走査分、すなわち回転ドラム３の６回転分）で１フレームが構成される。
【００１８】
図５には、上述したＤＶフォーマットに対応した一般的なＤＶテープレコーダの概略的な構成を示す。
【００１９】
この図５において、ＤＶフォーマットデッキ部１は、上記図３に示した回転ドラム３の他、図示は省略するが当該回転ドラム３を回転駆動するモータ、当該回転ドラム３の１回転につき１パルスとなる基準信号（ドラムＰＧ信号）を発生するＰＧ信号発生器、テープローディング機構、テープ走行機構など、ＤＶテープレコーダのメカニズム系を備えてなるものである。
【００２０】
回転ドラム３は、前記図３の回転ドラム３と同じものであり、１８０度対向して１対の磁気ヘッド４ｅ，４ｏが設けられている。したがって、当該回転ドラム３上の１対の磁気ヘッド４ｅ，４ｏは、前記図４に示したようにＤＶテープ上のイーブンフィールドのトラックとオッドフィールドのトラックを交互に走査する。
【００２１】
この図５のＲＦ信号処理部６は、記録時には入力ビデオ信号及び入力オーディオ信号に対してＤＶフォーマットに規定された所定の記録信号処理を施し、回転ドラム３上の１対の磁気ヘッド４ｅ，４ｏに交互に供給する記録信号（ＲＦ信号）を生成し、この記録信号を回転ドラム３に送る。一方、再生時には、回転ドラム３上の磁気ヘッド４ｅ，４ｏによってＤＶテープのイーブンフィールドのトラックとオッドフィールドのトラックから交互に再生された再生信号に対してＤＶフォーマットに規定された所定の再生信号処理を施し、ビデオ信号及びオーディオ信号を復元する。
【００２２】
メカコン（メカニズムコントローラ）５は、ＤＶフォーマットデッキ部１の回転ドラム３の回転動作や、図示しないテープローディング機構、テープ走行機構等のメカニズム系を制御すると共に、上記ドラムＰＧ信号の１周期（１５０Ｈｚ）を２分したハイ，ロー（Ｈｉ，Ｌｏ）２値となる図６のスイッチングパルスＳＷＰ（ハイ，ローの１周期で１５０Ｈｚ）を生成する。また、メカコン５は、記録時において、図６に示す周波数ｆ０，ｆ１，ｆ２の３種類からなるいわゆるＡＴＦパイロット信号が、ｆ０，ｆ１，ｆ０，ｆ２，ｆ０，ｆ１，ｆ０，ｆ２，・・・の繰り返しとなるように発生する。なお、これらＡＴＦパイロット信号は、記録時において各トラックに記録されるものであり、再生時のトラッキングの際に使用されるものである。
【００２３】
上記スイッチングパルスＳＷＰは、上記イーブンチャンネルＥｃｈ用磁気ヘッド４ｅとオッドチャンネルＯｃｈ用磁気ヘッド４ｏとを交互に切り替え動作させるためのヘッド切り替えタイミングパルスとされる。また、当該スイッチングパルスＳＷＰは、上記ＲＦ信号処理部６における記録／再生処理の同期のための基準信号（ＲＦ信号処理系スイッチングパルス）ともなされている。
【００２４】
さらに、メカコン５は、スイッチングパルスＳＷＰのハイ又はローの２値に応じて、上記ＲＦ信号処理部６におけるイーブンチャンネルＥｃｈ用磁気ヘッド４ｅ使用時の信号処理のためのパターンｐ１と、上記オッドチャンネルＯｃｈ用磁気ヘッド４ｏ使用時の信号処理のためのパターンｐ２とを生成して、ＲＦ信号処理部６に渡すようにもなされている。
【００２５】
これにより、ＲＦ信号処理部６では、上記スイッチングパルスＳＷＰのハイ又はローの２値に応じて、上記イーブンチャンネルＥｃｈ用磁気ヘッド４ｅ使用時の信号処理のための動作を行うことができ、また、上記オッドチャンネルＯｃｈ用磁気ヘッド４ｏ使用時の信号処理のための動作を行うことができる。すなわち、ＲＦ信号処理部６では、図２及び図４に示したようなイーブンフィールド（磁気ヘッド４ｅ）とオッドフィールド（磁気ヘッド４ｏ）のテープパターンの内容に合ったＲＦ信号処理を行うことが可能となる。なお、実際のＲＦ信号処理の内容についてはＤＶフォーマットにて規定されている通りであるため、ここではその詳細な説明は省略する。
【００２６】
次に、上述したような一般的なＤＶフォーマットをふまえて、本発明実施の形態にかかる記録再生フォーマット（８ｍｍビデオテープに対するＤＶフォーマット信号の記録／再生を実現するための記録再生フォーマット）について、図７〜図１２を用いて説明する。
【００２７】
本実施の形態の記録再生フォーマットにおける１トラックのテープパターンは、図７に示すように、ヘッド走査方向の先頭から順にＩＴＩ領域、オーディオ領域、ビデオ領域、サブコード領域から構成されているイーブンフィールドエリアと、同じくＩＴＩ領域、オーディオ領域、ビデオ領域、サブコード領域から構成されているオッドフィールドエリアとが、１本のトラック内に形成される。
【００２８】
この図７に示した本実施の形態のテープパターンをより詳細に示すと図８に示すように表すことができ、当該本実施の形態の記録再生フォーマットの主な仕様は、以下に列記するようになされている。なお、図８の例では、主に５２５／６０システムの各仕様を表記し、以下６２５／５０システムの仕様のうち５２５／６０システムと異なる仕様については（ ）内に表記している。
【００２９】
トラックピッチ(μm)                            16.340
テープスピード(mm)                             28.695/1.001 (28.695)
トラック角(deg)                                9.1668
ベーシックエリアトラック長(mm)                 61.597
拡張エリアトラック長(mm)                       9.048
テープ幅(mm)                                   8.000
有効エリア下エッジ(mm)                         1.786
有効エリア上エッジ(mm)                         7.047
有効エリア幅(mm)                               5.261
トラックＴＡのヘッドアジマス角(deg)            -20
トラックＴＢのヘッドアジマス角(deg)            +20
ベーシックエリアの記録ビット数(bits)           274624(274350)
拡張エリアの記録ビット数(bits)                 40340(40300)
同期遅れ分(μsec)                              20.305(20.285)
記録レート(Mbps)                               41.85
最短記録波長(μm)                              0.449/1.001(0.449)
相対速度(m/sec)                                9.3962/1.001(9.3962)
【００３０】
また、本実施の形態の磁気記録再生装置に適用される回転ドラムは、いわゆる８ｍｍビデオテープレコーダにて使用されている回転ドラムと同じものであり、図９に示すように１８０度対向した１対の磁気ヘッド（Ａチャンネル用の磁気ヘッド２４ａとＢチャンネル用の磁気ヘッド２４ｂ）が設けられている。この図９に示す本実施の形態の磁気記録再生装置の回転ドラム２３の主な仕様は、以下に列記するようになされている。なお、図９の例では、主に５２５／６０システムの各仕様を表記しており、６２５／５０システムの仕様のうちで５２５／６０システムと異なる仕様については（ ）内に表記している。
【００３１】
ドラム直径(mm)                    40
ドラムリード角(deg)               4.885
ドラム回転数(1/sec)               75/1.001(75)
トラック／ドラム回転（本）        2
有効ラップ角(deg)                 177
【００３２】
上述したような本実施の形態の記録再生フォーマットにおいて、テープを走行させると共に、回転ドラム２３を上記７５Ｈｚ（４５００ｒｐｍ）にて回転させることにより、上記Ａチャンネル用とＢチャンネル用の１対の磁気ヘッド２４ａ，２４ｂは、図７、図８及び図１０に示すように、上記テープ上のイーブンフィールドエリア及びオッドフィールドエリア（Ｅ０及びＯ１、Ｅ２及びＯ３、Ｅ４及びＯ５、Ｅ６及びＯ７、Ｅ８及びＯ９、・・・）からなる各トラックＴＲ０、ＴＲ１、ＴＲ２、ＴＲ３、ＴＲ４、・・・を、交互に走査することになる。すなわち、前記ＤＶフォーマットの場合は、ドラム直径を２１．７ｍｍとし、ドラム回転数を１５０Ｈｚ（９０００ｒｐｍ）としており、イーブンフィールドのトラックとオッドフィールドのトラックをそれぞれ交互に走査していたのに対して、本実施の形態のフォーマットでは、ドラム直径を４０ｍｍとし、ドラム回転数を７５Ｈｚ（４５００ｒｐｍ）として、イーブンフィールドエリア及びオッドフィールドエリアからなる１トラックを、Ａチャンネル用磁気ヘッド２４ａとＢチャンネル用磁気ヘッド２４ｂにてそれぞれ交互に走査するようにしている。なお、本実施の形態において、例えば５２５／６０システムの場合は、図１０に示すような５トラックＴＲ０〜ＴＲ５分（５走査分、すなわち回転ドラム２３の２．５回転分）で１フレームが構成され、一方、図示は省略するが、６２５／５０システムでは６トラック（６走査分、すなわち回転ドラム２３の３回転分）で１フレームが構成される。
【００３３】
図１１には、本実施の形態の記録再生フォーマットに対応した磁気記録再生装置の概略的な構成を示す。
【００３４】
この図１１において、８ｍｍフォーマットデッキ部２１は、８ｍｍビデオテープレコーダに搭載されているものと同じものであり、上記図９に示した回転ドラム２３の他、図示は省略するが当該回転ドラム２３を回転駆動するモータ、当該回転ドラム２３の１回転につき１パルスとなる基準信号（ドラムＰＧ信号）を発生するＰＧ信号発生器、テープローディング機構、テープ走行機構など、８ｍｍビットテープレコーダのメカニズム系を備えてなるものである。
【００３５】
回転ドラム２３は、前記図９の回転ドラム２３と同じものであり、１８０度対向して１対の磁気ヘッド２４ａ，２４ｂが設けられている。したがって、当該回転ドラム２３上の１対の磁気ヘッド２４ａ，２４ｂは、前記図１０に示したように８ｍｍビデオテープ上のイーブンフィールドエリア及びオッドフィールドエリアからなるトラックを交互に走査する。
【００３６】
この図１１のＲＦ信号処理部２６は、記録時には入力ビデオ信号及び入力オーディオ信号に対してＤＶフォーマットに規定された所定の記録信号処理を施し、回転ドラム２３上の１対の磁気ヘッド２４ａ，２４ｂに交互に供給する記録信号（ＲＦ信号）を生成し、この記録信号を回転ドラム２３に送る。一方、再生時には、回転ドラム２３上の磁気ヘッド２４ａ，２４ｂによって８ｍｍビデオテープのイーブンフィールドエリア及びオッドフィールドエリアからなるトラックより、交互に再生された再生信号に対してＤＶフォーマットに規定された所定の再生信号処理を施し、ビデオ信号及びオーディオ信号を復元する。
【００３７】
メカコン（メカニズムコントローラ）２５は、８ｍｍフォーマットデッキ部２１の回転ドラム２３の回転動作や、図示しないテープローディング機構、テープ走行機構等のメカニズム系を制御すると共に、上記ドラムＰＧ信号の１周期（７５Ｈｚ）を２分したハイ，ロー（Ｈｉ，Ｌｏ）２値となる図１２のドラムサーボヘッド切り替えスイッチングパルスＨＳＷＰ（ハイ，ローの１周期で７５Ｈｚ）と、上記ドラムＰＧ信号の１周期を４分したハイ，ロー（Ｈｉ，Ｌｏ）２値となる図１２のＲＦ信号処理系スイッチングパルスＲＳＷＰ（ハイ，ローの１周期で１５０Ｈｚ）とを生成する。また、メカコン２６は、記録時において、図１２に示す周波数ｆ０，ｆ１，ｆ２の３種類からなるいわゆるＡＴＦパイロット信号が、ｆ０，ｆ１，ｆ０，ｆ２，ｆ０，ｆ１，ｆ０，ｆ２，・・・の繰り返しとなるように発生する。
【００３８】
上記ヘッド切り替えスイッチングパルスＨＳＷＰは、上記Ａチャンネル用磁気ヘッド２４ａとＢチャンネル用磁気ヘッド２４ｂとを交互に切り替え動作させるためのヘッド切り替えタイミングパルスである。一方、上記ＲＦ信号処理系スイッチングパルスＲＳＷＰは、上記ＲＦ信号処理部２６における記録／再生処理の同期のための基準信号となされている。
【００３９】
さらに、メカコン２５は、上記ヘッド切り替えスイッチングパルスＨＳＷＰのハイ又はローの２値と、上記ＲＦ信号処理系スイッチングパルスＲＳＷＰのハイ又はローの２値との組み合わせに応じて、上記Ａチャンネル用磁気ヘッド２４ａ使用時の信号処理のためのパターンＰ１及びＰ２と、上記Ｂチャンネル用磁気ヘッド２４ｂ使用時の信号処理のためのパターンＰ２及びＰ４とを生成し、ＲＦ信号処理部２６に渡すようにもなされている。
【００４０】
これにより、ＲＦ信号処理部２６では、上記ヘッド切り替えスイッチングパルスＨＳＷＰの２値と上記ＲＦ信号処理系スイッチングパルスＲＳＷＰの２値との組み合わせに応じて、上記Ａチャンネル用磁気ヘッド２４ａ使用時におけるイーブンフィールドエリア及びオッドフィールドエリアの信号処理のための動作を行うことができ、また、上記Ｂチャンネル用磁気ヘッド２４ｂ使用時におけるイーブンフィールドエリア及びオッドフィールドエリアの信号処理のための動作を行うことができる。
【００４１】
より具体的に説明すると、ＲＦ信号処理部２６では、ヘッド切り替えスイッチングパルスＨＳＷＰがハイ（Ｈｉ）でＲＦ信号処理系スイッチングパルスＲＳＷＰもハイ（Ｈｉ）のときのパターンＰ１により、上記Ａチャンネル用磁気ヘッド２４ａ使用時におけるイーブンフィールドエリアに対応する信号処理を行うことができ、ヘッド切り替えスイッチングパルスＨＳＷＰがハイ（Ｈｉ）でＲＦ信号処理系スイッチングパルスＲＳＷＰがロー（Ｌｏ）のときのパターンＰ２により、上記Ａチャンネル用磁気ヘッド２４ａ使用時におけるオッドフィールドエリアに対応する信号処理を行うことができ、ヘッド切り替えスイッチングパルスＨＳＷＰがロー（Ｌｏ）でＲＦ信号処理系スイッチングパルスＲＳＷＰがハイ（Ｈｉ）のときのパターンＰ３により、上記Ｂチャンネル用磁気ヘッド２４ｂ使用時におけるイーブンフィールドエリアに対応する信号処理を行うことができ、ヘッド切り替えスイッチングパルスＨＳＷＰがロー（Ｌｏ）でＲＦ信号処理系スイッチングパルスＲＳＷＰもロー（Ｌｏ）のときのパターンＰ４により、上記Ｂチャンネル用磁気ヘッド２４ｂ使用時におけるオッドフィールドエリアに対応する信号処理を行うことができる。
【００４２】
したがって、本実施の形態の磁気記録再生装置のＲＦ信号処理部２６では、図８及び図１０に示したような、Ａチャンネル用磁気ヘッド２４ａに対応するイーブンフィールドエリア及びオッドフィールドエリアのテープパターンの内容に合ったＲＦ信号処理と、Ｂチャンネル用磁気ヘッド２４ｂに対応するイーブンフィールドエリア及びオッドフィールドエリアのテープパターンの内容に合ったＲＦ信号処理とが可能となる。なお、実際のＲＦ信号処理の内容についてはＤＶフォーマットにて規定されているものと同じであるため、ここではその詳細な説明は省略する。
【００４３】
ここで、上記パターンＰ１及びパターンＰ３は前記ＤＶフォーマットにおけるイーブンフィールドの信号処理用のパターンｐ１と略々同じものであり、上記パターンＰ２及びパターンＰ４は前記ＤＶフォーマットにおけるオッドフィールドの信号処理用のパターンｐ２と略々同じものである。
【００４４】
すなわち、８ｍｍフォーマットデッキ部２１の回転ドラム２３の１回転に対応して発生する信号処理のパターンＰ１〜Ｐ４は、前記図５のＤＶフォーマットデッキ部１の回転ドラム３の２回転に対応して発生する信号処理パターン（前記パターンｐ１，ｐ２，ｐ１，ｐ２）と全く同一になり、したがってＲＦ信号処理部２６は、本実施の形態の記録再生フォーマットの信号を、前記ＤＶフォーマットと全く同様に受け取り、処理することが可能になる。つまり、本実施の形態の記録再生フォーマットの導入に当たって変更が必要なのは、メカコン２５部分の一部分のみとなり、既存のＩＣシステムを使用できることとなり、新規フォーマットの開発に必要な時間、人、費用全ての面で有効である。
【００４５】
なお、上述の説明では、メカコン２５がパターンＰ１〜Ｐ４を生成することにしているが、ＲＦ信号処理部にてそれらパターンＰ１〜Ｐ４を生成し、それらパターンに基づいてＲＦ信号処理を行うようにしても良い。
【００４６】
上述したように、本実施の形態の磁気記録再生装置においては、既存のＤＶフォーマットによるテープパターンを、Ａチャンネル及びＢチャンネルの各磁気ヘッド２４ａ，２４ｂの１走査にそれぞれ２個記録することにより、既存の８ｍｍビデオテープにＤＶフォーマットの信号を記録でき、また、現在使用されている既存ＩＣシステムを使用できるために、容易にシステムを構築することが可能である。
【００４７】
なお、本実施の形態では、ＤＶフォーマットに対応したＩＣシステム（ＲＦ信号処理部２６）と８ｍｍビデオフォーマットに対応した磁気記録再生部（８ｍｍフォーマットデッキ部２１、回転ドラム２３、メカコン２５等）を組み合わせた例を挙げたが、本発明はこの実施の形態に限定されるものではなく、また、磁気ヘッドの１走査で１トラック上に記録するＤＶフォーマットのテープパターンも、２個に限定されるものではない。また、使用するテープ、メカニズムも同様であり、例えばいわゆるＶＨＳ規格のテープやメカニズムに適用する等、様々なバリエーションが考えられる。また、記録内容もビデオ信号だけでなく、音声、データ等々のものにも使用可能である。
【００４８】
【発明の効果】
本発明の磁気記録再生装置においては、磁気ヘッドの１走査に相当する期間内にテープパターンの複数個に対応する信号処理の基準信号を発生し、磁気ヘッドの１走査に相当する期間内にその基準信号に基づいてテープパターンの複数個分の信号処理を行うことにより、短時間且つ安価に、新規な規格に対応したシステムを実現可能である。
【図面の簡単な説明】
【図１】ＤＶフォーマットの基本的なテープパターンの説明に用いる図である。
【図２】ＤＶフォーマットのテープパターンの詳細な説明に用いる図である。
【図３】一般的なＤＶカセットレコーダに適用される回転ドラム及び磁気ヘッドの説明に用いる図である。
【図４】ＤＶフォーマットにおいてＮＴＳＣ方式（５２５／６０システム）の１フレームを構成するテープパターンの説明に用いる図である。
【図５】ＤＶフォーマットに対応した一般的なＤＶテープレコーダの概略的な構成を示すブロック図である。
【図６】一般的なＤＶテープレコーダの動作説明に用いる図である。
【図７】本発明実施の形態の記録再生フォーマットの基本的なテープパターンの説明に用いる図である。
【図８】本発明実施の形態の記録再生フォーマットのテープパターンの詳細な説明に用いる図である。
【図９】本発明実施の形態の磁気記録再生装置に適用される回転ドラム及び磁気ヘッドの説明に用いる図である。
【図１０】本発明実施の形態の記録再生フォーマットにおいてＮＴＳＣ方式（５２５／６０システム）の１フレームを構成するテープパターンの説明に用いる図である。
【図１１】本発明実施の形態の磁気記録再生装置の概略的な構成を示すブロック図である。
【図１２】本発明実施の形態の磁気記録再生装置の動作説明に用いる図である。
【符号の説明】
２１  ８ｍｍフォーマットデッキ部、  ２３  回転ドラム、  ２４ａ，２４ｂ
磁気ヘッド、  ２５  メカコン、  ２６  ＲＦ信号処理部
【図１】
0004019499.tif 000002
【図２】
0004019499.tif 000003
【図３】
0004019499.tif 000004
【図４】
0004019499.tif 000005
【図５】
0004019499.tif 000006
【図６】
0004019499.tif 000007
【図７】
0004019499.tif 000008
【図８】
0004019499.tif 000009
【図９】
0004019499.tif 000010
【図１０】
0004019499.tif 000011
【図１１】
0004019499.tif 000012
【図１２】
0004019499.tif 000013